(57)【要約】【課題】書類に穴を空けることなく書類の保存ができ、書類を散乱することなく書類の閲覧がなされうるファイリング用ツール２の提供。【解決手段】このツール２は、フォルダー６と、クリップ８とを備える。フォルダー６は、書類を挟む一対の第一把持部材１０と、背面部１２とを備える。第一把持部材１０は、背面部１２から前側に向かって延在する。背面部１２は、第一停止部材１６を備える。クリップ８は、この第一把持部材１０を挟む一対の第二把持部材２０と、アダプター２０とを備える。第二把持部材２０は、アダプター２２から前側に向かって延在する。アダプター２２は、第二停止部材４２を備える。第二停止部材４２は、この第一停止部材１６の前側に位置する。このクリップ２が後側に移動してこの第二停止部材４２がこの第一停止部材１６に接触すると、このクリップ８に移動は停止する。【選択図】図１
2008296486.tif 000002
【特許請求の範囲】
【請求項１】
フォルダーと、クリップとを備えており、
このフォルダーが、書類を挟む一対の第一把持部材と、背面部とを備えており、
この第一把持部材が、この背面部から前側に向かって延在しており、
この背面部が、縦方向に延在する第一停止部材を備えており、
このクリップが、これらの第一把持部材を挟む一対の第二把持部材と、アダプターとを備えており、
この第二把持部材が、このアダプターから前側に向かって延在しており、
このアダプターが、縦方向に延在する第二停止部材を備えており、
この第二停止部材が、この第一停止部材の前側に位置しており、
このクリップが後側に移動してこの第二停止部材がこの第一停止部材に接触すると、このクリップの後側への移動が停止されうるファイリング用ツール。
【請求項２】
上記フォルダーが、鉤部をさらに備えており、
この鉤部が、縦方向に延在する縦ガイドと、前側に向かって延在する横ガイドとを備えており、
このツールが２本の第二バーを備えるファイルに収容されるとき、
この縦ガイドが一方の第二バーに嵌め込まれてこのフォルダーがこの一方の第二バーを中心に回動することにより、この横ガイドが他方の第二バーに嵌め込まれうる請求項１に記載のツール。
【請求項３】
上記アダプターが、上記第二停止部材から後側に向かって延在する一対のフックをさらに備えており、
上記第一停止部材が、この第二停止部材及びこれらのフックで囲まれている請求項１又は２に記載のツール。
【請求項４】
上記アダプターが、縦方向に延在する主部をさらに備えており、
上記第二停止部材が、その縦方向においてこの主部の両端から外側に向かって延在する一対の第一バーからなる請求項１又は２に記載のツール。
【発明の詳細な説明】
【技術分野】
【０００１】
本発明は、書類を整理して保存するために用いられるツールに関する。
【背景技術】
【０００２】
書類としては、文書、帳票、図面、パンフレット等が例示される。このような書類の整理及び保存には、ファイル、ホルダー及びフォルダーのようなツールが用いられる。
【０００３】
ファイルは、とじ具を備えている。このとじ具は、環状または直線状のバーを備えている。このファイルで書類を保存するとき、この書類の綴じ代にペーパーパンチで穴が空けられて、この穴にバーが挿通される。このようにして、書類はファイルに綴じられて保存される。このファイルは、書類の保存に適している。
【０００４】
ホルダーは、二枚のシートから構成される。このホルダーは、これらのシートが重ねられて、一の頂点から延在する２の縁が接合されて形成される。換言すれば、ホルダーは、袋である。書類は、その綴じ代に穴が空けられることなくこのホルダーに収容される。
【０００５】
フォルダーは、二つ折りにされたシートからなる。このフォルダーに収容されて保存される書類は、この二つ折りにされたシートの内側に挟まれる。このフォルダーでは、書類の綴じ代に穴を空けることなく、書類が収容されうる。このフォルダーは、ボックスファイルに収容されうる。このフォルダーとボックスファイルとを用いて、多数の書類を分類して保存することができる。
【０００６】
書類の閲覧及び取り出しが考慮された、ファイリング用ツールの例が、実開昭６１−１０５１８２号公報及び特開２００４−２０９６７７公報に開示されている。実開昭６１−１０５１８２号公報には、ファイルに綴じられた書類の取り出し易さが考慮されたファイル用脱着自在拘束部方式事務具が開示されている。特開２００４−２０９６７７公報には、ファイリング用書類保持具が開示されている。
【特許文献１】実開昭６１−１０５１８２号公報
【特許文献２】特開２００４−２０９６７７公報
【発明の開示】
【発明が解決しようとする課題】
【０００７】
前述したように、そのとじ具がバーを備えるファイルで書類を保存する場合、書類の綴じ代に穴が空けられる。この穴空けにより、書類に記載されている内容の一部が欠落する場合がある。さらに、このファイルでは、書類の穴にバーが通されて、この書類が保存される。この穴の縁は、このバーと接触する。この接触は、書類に破れを招来する。このファイルによる書類の保存では、書類に傷みが生じる場合がある。
【０００８】
書類を挟む本体と、この本体を挟むとじ具としてのクリップとを備えたファイルがある。このファイルは、少量の書類の閲覧には適しているが、書類の保存には不適である。特に、この本体とクリップとに分離されうるファイルでは、この本体からクリップが取り外されると、このクリップを紛失してしまう場合がある。
【０００９】
クリップの紛失が考慮されて、クリップがその本体に取り付けられたファイルがある。このファイルでは、このクリップを本体に取り付けるために、この本体及びクリップ以外に、別の部材が必要とされる。このファイルの部品点数は多い。このようなファイルの生産コストは大きい。
【００１０】
前述したように、ホルダーは２枚のシートが重ね合わされて形成される袋である。このホルダーに収容されうる書類の量は、小さい。このホルダーは、書類の保存には不適である。このホルダーに収容されている書類は、このホルダーから取り出さなけれ閲覧できない。
【００１１】
前述したように、フォルダーは二つ折りにされたシートからなる。このフォルダーでは、書類はこの二つ折りにされたシートの内側に挟まれて収容される。書類は、このフォルダーに拘束されない。このフォルダーに収容されている書類が閲覧されるとき、この書類が散乱する場合がある。
【００１２】
上記実開昭６１−１０５１８２号公報記載のファイル用脱着自在拘束部方式事務具では、ファイルからの書類の取り出しは容易であるものの、書類が糊付け又は係止針によってこの事務具に固定されなければならない。この事務具への書類の固定には、手間がかかる。
【００１３】
上記特開２００４−２０９６７７公報記載のファイリング用書類保持具は、保持すべき書類の側縁を受ける受面を上部に備えた支持体を備えている。この支持体は、その端に書類の角部を揃える端ガイドと、その側縁に書類面を支える一対の側面ガイドとを備えている。この保持具では、両側面ガイドの間の距離は書類の厚みに応じて可変することなく一定である。書類の量は、その内容に応じて適宜変わる。従って、この保持具を用いて書類がその内容に応じてファイリングされるとき、書類の量が少ないためにこの保持具が書類で充分に満たされない場合がある。このような保持具は、書類の収容効率に劣る。
【００１４】
この保持具は、前述の支持体以外に、書類を挟持するための挟持部材と、この挟持部材の揺動片を開いた状態に保つ保持手段と、この保持具がファイルに着脱自在に係合しうるように構成された係合部材とを備えている。この保持具を構成する部材の数は多い。従って、この保持具の生産コストは高い。このような保持具は、汎用性に劣る。
【００１５】
前述したように、既存のファイリング用ツールは、一長一短を有しており、書類の保存及び閲覧が両立されうるツールとして十分とは言えない。
【００１６】
本発明の目的は、書類に穴を空けることなく書類の保存ができ、この書類を散乱することなく書類の閲覧がなされうるファイリング用ツールの提供にある。
【課題を解決するための手段】
【００１７】
本発明に係るファイリング用ツールは、フォルダーと、クリップとを備えている。このフォルダーは、書類を挟む一対の第一把持部材と、背面部とを備えている。この第一把持部材は、この背面部から前側に向かって延在している。この背面部は、縦方向に延在する第一停止部材を備えている。このクリップは、これらの第一把持部材を挟む一対の第二把持部材と、アダプターとを備えている。この第二把持部材は、このアダプターから前側に向かって延在している。このアダプターは、縦方向に延在する第二停止部材を備えている。この第二停止部材は、この第一停止部材の前側に位置している。このクリップが後側に移動してこの第二停止部材がこの第一停止部材に接触すると、このクリップの後側への移動は停止する。
【００１８】
好ましくは、このツールでは、上記フォルダーは、鉤部をさらに備えている。この鉤部は、縦方向に延在する縦ガイドと、前側に向かって延在する横ガイドとを備えている。このツールが２本の第二バーを備えるファイルに収容されるとき、この縦ガイドが一方の第二バーに嵌め込まれてこのフォルダーがこの一方の第二バーを中心に回動することにより、この横ガイドは他方の第二バーに嵌め込まれうる。
【００１９】
好ましくは、このツールでは、上記アダプターは、上記第二停止部材から後側に向かって延在する一対のフックをさらに備えている。上記第一停止部材は、この第二停止部材及びこれらのフックで囲まれている。
【００２０】
好ましくは、このツールでは、上記アダプターは、縦方向に延在する主部をさらに備えている。上記第二停止部材は、その縦方向においてこの主部の両端から外側に向かって延在する一対の第一バーからなる。
【発明の効果】
【００２１】
本発明に係るファイリング用ツールでは、書類に穴を空けることなく書類の保存ができ、この書類を散乱することなくこの書類の閲覧がなされうる。このツールでは、クリップが後側に移動すると、クリップの第二停止部材がフォルダーの第一停止部材に接触するので、このクリップの過大な移動が防止される。このツールでは、クリップがフォルダーから脱離することはない。このツールでは、クリップの紛失が確実に防止されうる。
【発明を実施するための最良の形態】
【００２２】
以下、適宜図面が参照されつつ、好ましい実施形態に基づいて本発明が詳細に説明される。
【００２３】
図１は、本発明の一実施形態に係るファイリング用ツール２が示された分解斜視図である。図２（ａ）は図１のツール２が使用されている状況が示された側面図であり、図２（ｂ）はその背面図である。図３は、図２のIII−III線に沿った断面図である。このツール２は、文書、帳票、図面、パンフレット等のような書類４を保存しうる。このツール２は、フォルダー６と、クリップ８とを備えている。なお、この図１及び図２において、両矢印線Ａはこのツール２の縦方向を表している。図１及び図３において、両矢印線Ｂはこのツール２の幅方向を表している。図２（ａ）及び図３において、紙面の右側がこのツール２の前側であり、この紙面の左側がこのツール２の後側である。
【００２４】
フォルダー６は、一対の第一把持部材１０と背面部１２とを備えている。この第一把持部材１０は、この背面部１２から前側に向かって延在している。この第一把持部材１０は、略矩形のプレートである。この第一把持部材１０は、その後側から前側に向かって延在する凹部１４を備えている。このツール２では、この凹部１４は縦方向においてこの第一把持部材１０の中央に位置している。
【００２５】
背面部１２は、第一停止部材１６と、一対の第一サブプレート１８とを備えている。この第一停止部材１６は、プレートからなる。この第一停止部材１６は縦方向に延在している。この第一停止部材１６は、凹部１４の後側に位置している。第一サブプレート１８は、縦方向において第一停止部材１６の両側に位置している。この第一サブプレート１８は、この第一停止部材１６の端から縦方向に延在している。このツール２では、この第一サブプレート１８の縦方向に延在する縁に、第一把持部材１０が連接している。図示されているように、このツール２では、第一停止部材１６の幅は、第一サブプレート１８の幅に比して狭い。このツール２は、この凹部１４とこの第一停止部材１６で囲まれる空間に、後述するクリップ８が挿入されうるように構成されている。
【００２６】
クリップ８は、一対の第二把持部材２０と、アダプター２２とを備えている。この第二把持部材２０は、このアダプター２２から前側に向かって延在している。この第二把持部材２０は、メインプレート２４と、クランプ２６と、凸部２８とを備えている。このメインプレート２４は、矩形である。クランプ２６は、このメインプレート２４の前側に位置している。このクランプ２６は、幅方向においてメインプレート２４の内側に位置している。このツール２では、このクランプ２６は、頂部３０と、この頂部３０の端から裾広がりに幅方向外側に向かって延在する斜部３２とを備えている。図示されているように、この頂部３０は波状を呈している。この頂部３０は、縦方向に延在する畝３４を備えている。このツール２では、一方の頂部３０と他方の頂部３０とが接触するとき、一方の頂部３０の畝３４が、他方の頂部３０の畝間３６に位置するように、このクランプ２６が構成されている。前側に位置する斜部３２の前端３８は、メインプレート２４に繋げられている。後側に位置する斜部３２の後端４０は、このメインプレート２４に繋げられていない。凸部２８は、幅方向において、メインプレート２４の内側に位置している。この凸部２８は、縦方向に延在する。この凸部２８は、後側に位置する斜部３２の後端４０よりも後側に位置している。
【００２７】
アダプター２２は、第二停止部材４２と、一対のフック４４とを備えている。この第二停止部材４２は、矩形のプレートからなる。この第二停止部材４２は、縦方向に延在している。このフック４４は、この第二停止部材４２の端から後側に向かって延在する第二サブプレート４６と、この第二サブプレート４６の端から幅方向内側に向かって延在する第三サブプレート４８とからなる。換言すれば、このフック４４は、この第二停止部材４２の端から後側に向かって延在している。図３に示されているように、一方の第三サブプレート４８と、他方の第三サブプレート４８との間には、隙間５０が形成されている。
【００２８】
図３に示されているように、書類４を保存しているツール２では、書類４の後側（綴じ代と称される）が一方の第一把持部材１０と他方の第一把持部材１０との間に挟まれている。この第一把持部材１０の内面は、書類４に接触している。書類４を挟んだ一対の第一把持部材１０は、一方の第二把持部材２０と他方の第二把持部材２０との間に挟まれている。クランプ２６の頂部３０が、第一把持部材１０の外面に接触している。換言すれば、この第二把持部材２０が第一把持部材１０を介して書類４を挟んでいる。
【００２９】
前述したように、このツール２では、書類４の綴じ代が第一把持部材１０に挟まれて、書類４が保存される。このツール２が用いられることにより、書類４に穴を空けることなく書類４の保存ができ、この書類４を散乱することなくこの書類４の閲覧がなされうる。
【００３０】
図３に示されているように、このツール２では、フォルダー６に設けられる第一停止部材１６は、クリップ８のアダプター２２を構成する第二停止部材４２及び２のフック４４で囲まれている。両フック４４の間に形成される隙間５０の幅は、第一停止部材１６の幅に比して狭い。このため、この第一停止部材１６がこの隙間５０を抜けることはない。このツール２では、フォルダー６からのクリップ８の脱離が確実に防止されうる。このツール２では、クリップ８の紛失が防止される。
【００３１】
このツール２では、次のようにしてフォルダー６とクリップ８とが組み合わされる。まず、クリップ８の第二把持部材２０が、フォルダー６の凹部１４と第一停止部材１６で囲まれる空間に挿入される。次に、一方の第二把持部材２０と、他方の第二把持部材２０との間に、フォルダー６の第一把持部材１０が差し込まれる。次に、クリップ８が、前側に移動される。図３には、このクリップ８が前側に移動された状態が点線で示されている。この状態では、第一停止部材１６はクリップ８に設けられるアダプター２２の後側に位置している。
【００３２】
次に、第一停止部材１６の一方の端５２ａが前側に、他方の端５２ｂが後側に位置するように、この第一停止部材１６がねじられてこの第一停止部材１６が両フック４４の間に形成される隙間５０に挿通されつつ、このクリップ８が後側に移動される。これにより、この第一停止部材１６がアダプター２２を構成する第二停止部材４２及び２のフック４４で囲まれる空間に配置される。このようにして、フォルダー６とクリップ８とが組み合わされる。
【００３３】
このツール２では、書類４は次のようにして保存される。まず、クリップ８が後側に移動される。次に、フォルダー６の、一方の第一把持部材１０と他方の第一把持部材１０との間に、書類４が挟まれる。次に、クリップ８が前側に移動されて、クリップ８の、一方の第二把持部材２０と他方の第二把持部材２０との間に、書類４を挟んだ一対の第一把持部材１０が挟まれる。このようにして、書類４がこのツール２に保存される。なお、このツール２では、クリップ８を後側に移動させることにより、書類４は解放される。
【００３４】
このツール２では、第一把持部材１０が書類４を挟むと、この第一把持部材１０がクランプ２６の頂部３０を押圧する。この押圧により、この第二把持部材２０は撓む。この撓みは、このツール２による書類４の拘束に寄与しうる。このツール２は、書類４を拘束しつつ保存しうる。前述したように、このクランプ２６の前端３８はメインプレート２４に繋げられているが、このクランプ２６の後端４０はこのメインプレート２４に繋げられていない。この後端４０は、メインプレート２４に接触しつつ移動しうる。このツール２が書類４を挟むと、この後端４０が後側に移動する。この移動が一方の頂部３０と他方の頂部３０との間隔を効果的に拡げるので、このツール２は書類４を容易に挟みうる。
【００３５】
図３に示されているように、このツール２では、グリップに設けられる第二停止部材４２の前側に、フォルダー６を構成する第一把持部材１０が位置している。このクリップ８が前側に移動すると、この第二停止部材４２が第一把持部材１０に接触する。この接触により、このクリップ８の前側への移動が停止される。
【００３６】
前述したように、このツール２の第二把持部材２０には、クランプ２６の後端４０の後側に凸部２８が設けられている。大きな厚みを有する書類４が挟まれるとこの後端４０がこの凸部２８に接触する。この接触により、この後端４０の移動が停止される。これにより、この第二把持部材２０の撓みが適切に維持される。このツール２は、書類４を拘束しつつ保存しうる。
【００３７】
図４は、クリップ８が後側に移動された状態が示された断面図である。このツール２では、クリップ８に設けられる第二停止部材４２はフォルダー６に設けられる第一停止部材１６の前側に位置している。クリップ８が後側に移動するとこの第二停止部材４２が第一停止部材１６に接触する。この接触により、クリップ８の後側への過大な移動が防止される。このツール２では、クリップ８がこのフォルダー６から脱離することはない。このツール２では、クリップ８の紛失が確実に防止される。
【００３８】
このツール２では、フォルダー６の材質としては、ポリエチレン、ポリプロピレン、ポリエチレンテレフタレート、ポリカーボネート、ナイロン、ポリスチレン等の合成高分子が例示される。汎用性及び加工性の観点から、ポリエチレン、ポリプロピレン及びポリエチレンテレフタレートがより好ましい。なお、これらの再生材料が用いられてもよい。このフォルダー６は、前述の材料が用いられて射出成形で形成される。穴空け加工が施されたシートが折り曲げられて形成されてもよい。このツール２の製造は、容易である。
【００３９】
このツール２では、クリップ８の材質としては、ポリエチレン、ポリプロピレン、ポリエチレンテレフタレート、ポリカーボネート、ナイロン、ポリスチレン等の合成高分子が例示される。汎用性及び加工性の観点から、ポリエチレン、ポリプロピレン及びポリエチレンテレフタレートがより好ましい。なお、これらの再生材料が用いられてもよい。このクリップ８は、前述の材料が用いられて射出成形で製造される。このクリップ８の製造は、容易である。
【００４０】
図５は、本発明の他の実施形態に係るファイリング用ツール５４が示された分解斜視図である。図６（ａ）は図５のツール５４が使用されている状況が示された側面図であり、図６（ｂ）はその背面図である。図７は、図６のVII−VII線に沿った断面図である。図８は、図６のVIII−VIII線に沿った断面図である。このツール５４は、フォルダー５６と、クリップ５８とを備えている。なお、この図５及び図６において、両矢印線Ａはこのツール５４の縦方向を表している。図５、図７及び図８において、両矢印線Ｂはこのツール５４の幅方向を表している。図６（ａ）、図７及び図８において、紙面の右側がこのツール５４の前側であり、この紙面の左側がこのツール５４の後側である。
【００４１】
フォルダー５６は、一対の第一把持部材６０と背面部６２とを備えている。この第一把持部材６０は、この背面部６２から前側に向かって延在している。この第一把持部材６０は、略矩形のプレートである。この第一把持部材６０は、その後側から前側に向かって延在する凹部６４を備えている。このツール５４では、この凹部６４は縦方向において第一把持部材６０の中央に位置している。
【００４２】
背面部６２は、縦方向に延在する、２枚の第四サブプレート６６からなる。これらの第四サブプレート６６は、間隔を空けて配置されている。この第四サブプレート６６は、縦方向において凹部６４の外側に位置している。このツール５４では、この第四サブプレート６６の縦方向に延在する縁に、第一把持部材６０が連接している。
【００４３】
クリップ５８は、一対の第二把持部材６８と、アダプター７０とを備えている。この第二把持部材６８は、このアダプター７０から前側に向かって延在している。この第二把持部材６８は、メインプレート７２と、クランプ７４とを備えている。このメインプレート７２は、矩形である。クランプ７４は、このメインプレート７２の前側に位置している。このクランプ７４は、幅方向においてメインプレート７２の内側に位置している。このツール５４では、このクランプ７４は、メインプレート７２の端から後側に向かって傾斜しつつ延在する斜部７６と、この斜部７６から後側に延在する頂部７８とを備えている。
【００４４】
アダプター７０は、主部８０と、第二停止部材８２とを備えている。この主部８０は、縦方向に延在している。このツール５４では、この主部８０の前側に位置する縁から、第二把持部材６８を構成するメインプレート７２が前側に向かって延在している。この第二停止部材８２は、その縦方向においてこの主部８０の端から外側に向かって延在する一対の第一バー８４からなる。換言すれば、このアダプター７０は縦方向に延在する第二停止部材８２を備えている。このツール５４では、この第二停止部材８２は、その断面が矩形である一本の角材がこの主部８０に設けられた縦方向に延在する貫通孔に挿入されて形成されている。
【００４５】
このツール５４では、書類４の綴じ代が一方の第一把持部材６０と他方の第一把持部材６０との間に挟まれる。この第一把持部材６０の内面が、書類４に接触する。書類４を挟んだ一対の第一把持部材６０は、一方の第二把持部材６８と他方の第二把持部材６８との間に挟まれる。クランプ７４の頂部７８が、第一把持部材６０の外面に接触する。換言すれば、この第二把持部材６８は第一把持部材６０を介して書類４を挟む。このようにして、このツール５４は書類４を挟む。
【００４６】
このツール５４では、書類４が挟まれると第一把持部材６０がクランプ７４の頂部７８を押圧する。この押圧により、この第二把持部材６８は撓む。この撓みは、このツール５４による書類４の拘束に寄与しうる。図示されているように、このクランプ７４の前端８６はメインプレート７２に繋げられているが、このクランプ７４の後端８８はどの部材にも繋げられていない。このツール５４では、一方の頂部７８と他方の頂部７８との間隔が、容易に変化しうる。このツール５４は、書類４を容易に挟みうる。
【００４７】
前述したように、このツール５４では、書類４の綴じ代が第一把持部材６０に挟まれて、書類４が保存される。このツール５４が用いられることにより、書類４に穴を空けることなく書類４の保存ができ、この書類４を散乱することなくこの書類４の閲覧がなされうる。
【００４８】
図７に示されているように、このツール５４では、アダプター７０を構成する主部８０の前側に、フォルダー５６を構成する第一把持部材６０が位置している。このクリップ５８が前側に移動すると、この主部８０が第一把持部材６０に接触する。この接触により、このクリップ５８の前側への移動が停止される。
【００４９】
図８に示されているように、第一バー８４の幅方向両側には第一把持部材６０が位置している。この第一バー８４の後側には、第四サブプレート６６が位置している。前述したように、この第一バー８４の前側にはフォルダー５６を構成する第一把持部材６０が位置している。このツール５４では、フォルダー５６からのクリップ５８の脱離が確実に防止される。このツール５４では、クリップ５８の紛失が防止されうる。
【００５０】
前述したように、このツール５４では、第二停止部材８２を構成する第一バー８４は第四サブプレート６６の前側に位置している。このため、クリップ５８が後側に移動すると、第二停止部材８２がこの第四サブプレート６６に接触する。このツール５４では、この接触により、このクリップ５８の後側への過大な移動が防止される。このツール５４では、このクリップ５８がこのフォルダー５６から脱離することはない。このツール５４では、クリップ５８の紛失が確実に防止される。なお、このツール５４では、この第四サブプレート６６の、第二停止部材８２と接触しうる部分が、第一停止部材９０である。前述したように、この第四サブプレート６６は、縦方向に延在している。したがって、このフォルダー５６を構成する背面部６２は、縦方向において凹部６４の外側に位置しており縦方向に延在する一対の第一停止部材９０を備えており、この第一停止部材９０の前側に第二停止部材８２が位置している。
【００５１】
図９は、本発明のさらに他の実施形態に係るファイリング用ツール９２が示された側面図である。図１０は、図９のＸ−Ｘ線に沿った断面図である。このツール９２は、フォルダー９４と、クリップ９６とを備えている。なお、この図９において、両矢印線Ａはこのツール９２の縦方向を表している。図１０において、両矢印線Ｂはこのツール９２の幅方向を表している。この図９及び図１０において、紙面の右側がこのツール９２の前側であり、紙面の左側がこのツール９２の後側である。
【００５２】
フォルダー９４は、一対の第一把持部材９８と、背面部１００と、鉤部１０２とを備えている。このフォルダー９４は、この鉤部１０２以外は、図５のツール５４に設けられるフォルダー５６と同一の構成を有している。したがって、このツール９２では、第一把持部材９８が背面部１００から前側に向かって延在しており、この背面部１００が縦方向に延在する一対の第一停止部材１０４を備えている。
【００５３】
鉤部１０２は、このフォルダー９４の後側から前側に向かって延在する第一横ガイド１０６と、この第一横ガイド１０６から縦方向に延在する縦ガイド１０８と、このフォルダー９４の後側から前側に向かって延在する第二横ガイド１１０とを備えている。この第二横ガイド１１０は、縦方向において外側に凸な形状を呈している。図示されているように、このツール９２は、この第一横ガイド１０６及び縦ガイド１０８と、第二横ガイド１１０との間にクリップ９６が位置するように構成されている。
【００５４】
クリップ９６は、一対の第二把持部材１１２と、アダプター１１４とを備えている。このクリップ９６は、この第二把持部材１１２及びこのアダプター１１４に設けられる第二停止部材１１６以外は、図５のツール５４に設けられるクリップ５８と同一の構成を有している。
【００５５】
第二把持部材１１２は、このアダプター１１４から前側に向かって延在している。この第二把持部材１１２は、メインプレート１１８と、クランプ１２０とを備えている。このメインプレート１１８は、矩形である。図示されているように、このメインプレート１１８の前側が幅方向内向きに折り曲げられている。クランプ１２０は、幅方向においてメインプレート１１８の内側に位置している。図１０に示されているように、このクランプ１２０の断面形状は半円である。
【００５６】
第二停止部材１１６は、アダプター１１４に設けられる主部１２２の端から縦方向外側に向かって延在する一対の第一バー１２４からなる。このツール９２では、この主部１２２に縦方向に延在する貫通孔を設けその断面が円である一本の丸材をこの貫通孔に挿通させて、この第二停止部材１１６が形成される。
【００５７】
図示されていないが、このツール９２では、書類４の綴じ代が一方の第一把持部材９８と他方の第一把持部材９８との間に挟まれる。この第一把持部材９８の内面が、書類４に接触する。書類４を挟んだ一対の第一把持部材９８は、一方の第二把持部材１１２と他方の第二把持部材１１２との間に挟まれる。クランプ１２０の頂部１２６が、第一把持部材９８の外面に接触する。換言すれば、この第二把持部材１１２は第一把持部材９８を介して書類４を挟む。このようにして、このツール９２は書類４を挟む。
【００５８】
図示されていないが、このツール９２では、書類４が挟まれると第一把持部材９８がクランプ１２０の頂部１２６を押圧する。この押圧により、この第一把持部材９８が撓む。この撓みは、このツール９２による書類４の拘束に寄与しうる。図示されているように、このクランプ１２０の断面形状は半円である。このため、一方の頂部１２６と他方の頂部１２６との間隔が、容易に変化しうる。このツール９２は、書類４を容易に挟みうる。
【００５９】
図示されていないが、このツール９２では、書類４の綴じ代が第一把持部材９８に挟まれて、書類４が保存される。このツール９２が用いられることにより、書類４に穴を空けることなく書類４の保存ができ、この書類４を散乱することなくこの書類４の閲覧がなされうる。
【００６０】
図１０に示されているように、このツール９２では、アダプター１１４を構成する主部１２２の前側に、フォルダー９４を構成する第一把持部材９８が位置している。このクリップ９６が前側に移動すると、この主部１２２が第一把持部材９８に接触する。この接触により、このクリップ９６の前側への移動が停止される。
【００６１】
図示されていないが、このツール９２では、第二停止部材１１６の幅方向両側には第一把持部材９８が位置している。この第二停止部材１１６の後側には、第一停止部材１０４が位置している。前述したように、この第二停止部材１１６の前側には第一把持部材９８が位置している。このツール９２では、フォルダー９４からのクリップ９６の脱離が確実に防止される。このツール９２では、クリップ９６の紛失が防止されうる。
【００６２】
前述したように、このツール９２では、第二停止部材１１６は第一停止部材１０４の前側に位置している。このため、クリップ９６が後側に移動すると、第二停止部材１１６がこの第一停止部材１０４に接触する。このツール９２では、この接触により、このクリップ９６の後側への過大な移動が防止される。このツール９２では、このクリップ９６がこのフォルダー９４から脱離することはない。このツール９２では、クリップ９６の紛失が確実に防止される。
【００６３】
このツール９２が使用されるとき、この第一横ガイド１０６及び縦ガイド１０８が第二横ガイド１１０の上方に位置するように、このツール９２は起立される。このツール９２は、次のようにして、ファイル（図示されず）に収容される。なお、このファイルは、綴じられる書類４の厚み方向（このツール９２の幅方向に相当）に延在しつつ、縦方向に並んで配列される２本の第二バーを備えている。
【００６４】
まず、上方に位置する一方の第二バーが第一横ガイド１０６に挿通されて縦ガイド１０８に誘導される。これにより、縦ガイド１０８が一方の第二バーに嵌め込まれる。次に、この一方の第二バーを中心にしてこのフォルダー９４が回動される。この回動により、第二横ガイド１１０が下方に位置する他方の第二バーに嵌め込まれる。このツール９２は、このファイルに容易に掛け留めされうる。
【００６５】
ファイルに掛け留めされたツール９２は、第二横ガイド１１０が下方の第二バーから抜かれた後このフォルダー９４が前方斜め下方に引かれることにより、このファイルから容易に取り外されうる。このツール９２は、ファイルへの書類４の収容及び取り外しを容易にする。
【００６６】
このツール９２が用いられることにより、一つのファイルには、複数のツール９２が掛け留めされうる。このツール９２を用いて書類４がファイルに収容されている場合において、利用者は必要な書類４を拘束しつつ保存しうるツール９２のみをこのファイルから取り出せばよい。このツール９２を用いることにより、利用者は必要な書類４をファイルから容易に取り出せる。
【産業上の利用可能性】
【００６７】
本発明は、種々の書類の保存に適用されうる。
【図面の簡単な説明】
【００６８】
【図１】図１は、本発明の一実施形態に係るファイリング用ツールが示された分解斜視図である。
【図２】図２（ａ）は図１のツールが使用されている状況が示された側面図であり、図２（ｂ）はその背面図である。
【図３】図３は、図２のIII−III線に沿った断面図である。
【図４】図４は、クリップが後側に移動された状態が示された断面図である。
【図５】図５は、本発明の他の実施形態に係るファイリング用ツールが示された分解斜視図である。
【図６】図６（ａ）は図５のツールが使用されている状況が示された側面図であり、図６（ｂ）はその背面図である。
【図７】図７は、図６のVII−VII線に沿った断面図である。
【図８】図８は、図６のVIII−VIII線に沿った断面図である。
【図９】図９は、本発明のさらに他の実施形態に係るファイリング用ツールが示された側面図である。
【図１０】図１０は、図９のＸ−Ｘ線に沿った断面図である。
【符号の説明】
【００６９】
２、５４、９２・・・ツール
４・・・書類
６、５６、９４・・・フォルダー
８、５８、９６・・・クリップ
１０、６０、９８・・・第一把持部材
１２、６２、１００・・・背面部
１４、６４・・・凹部
１６、９０、１０４・・・第一停止部材
１８・・・第一サブプレート
２０、６８、１１２・・・第二把持部材
２２、７０、１１４・・・アダプター
２４、７２、１１８・・・メインプレート
２６、７４、１２０・・・クランプ
２８・・・凸部
３０、７８、１２６・・・頂部
３２、７６・・・斜部
３４・・・畝
３６・・・畝間
３８、８６・・・前端
４０、８８・・・後端
４２、８２、１１６・・・第二停止部材
４４・・・フック
４６・・・第二サブプレート
４８・・・第三サブプレート
５０・・・隙間
５２ａ、５２ｂ・・・端
６６・・・第四サブプレート
８０、１２２・・・主部
８４・・・第一バー
１０２・・・鉤部
１０６・・・第一横ガイド
１０８・・・縦ガイド
１１０・・・第二横ガイド
１２４・・・第一バー
【図１】
2008296486.tif 000003
【図２】
2008296486.tif 000004
【図３】
2008296486.tif 000005
【図４】
2008296486.tif 000006
【図５】
2008296486.tif 000007
【図６】
2008296486.tif 000008
【図７】
2008296486.tif 000009
【図８】
2008296486.tif 000010
【図９】
2008296486.tif 000011
【図１０】
2008296486.tif 000012